(57)【特許請求の範囲】
【請求項１】
発光手段と、音声出力手段と、発光手段のＯＮ／ＯＦＦ入力を検出する検出手段と、制御手段と、を備えた、既存の電灯設備によって電力線通信に接続される照明装置であって、
前記制御手段は、前記検出手段がＯＮであることを検出したときに以下のステップを順に実行することを特徴とする照明装置。
（１）前記発光手段を点灯させる。
（２）前記電力線通信から音声信号の入力があるか否かを判断する。
（３）前記音声信号が入力されている場合は前記音声出力手段から音声を出力する。
【請求項２】
前記制御手段は、前記（１）〜（３）に続いて、前記検出手段がＯＦＦであることを検
出したときに以下のステップを実行することを特徴とする請求項１に記載の照明装置。
（４）前記発光手段の点灯を停止し、前記音声出力手段からの音声出力を停止させる。
【請求項３】
前記発光手段および／または前記音声出力手段のＯＮ／ＯＦＦ入力は、壁に設けられた埋め込みスイッチ、リモコン、人感センサのいずれかひとつであることを特徴とする請求項１または２に記載の照明装置。
【請求項４】
前記電灯設備は、電球用ソケット、レセプタクル、引っ掛けシーリングローゼットや、懐中電灯（ハンディライト）の電球用ソケットのいずれかひとつであることを特徴とする請求項１〜３のいずれか一つに記載の照明装置。
【発明の詳細な説明】
【技術分野】
【０００１】
この発明は、電力線に取り付けられる照明装置および照明システムに関する。ただし、この発明の利用は、上述した照明装置および照明システムには限られない。
【背景技術】
【０００２】
近年、たとえば住宅などに敷設された電力線に取り付けて、照明の代わりに音声を出力する音響機器や、照明とともに音声を出力する照明装置が提供されている。
【０００３】
このような音響機器は、たとえばつぎのように構成されている。すなわち、音響機器は、筐体に電球用ソケットに接続できる口金を設け、これを通じて商用交流電源に接続された電球用ソケットから音響機器の内蔵回路に動作電流を供給するようにし、さらに制御系を筐体内に収容し、これにより制御信号をワイヤレスで受信して受信系を遠隔制御することで、電球用ソケットから動作電流を得て音量調整などを遠隔制御することができる構成とされている（たとえば、特許文献１参照。）。
【０００４】
また、このような音響機器は、音響信号源への接続のための端子を有する拡声器ドライブユニットを備え、この拡声器ドライブユニットは、装着リングを備えたフレームを備え、該装着リングは、それぞれ装着リングに設けられた座部との当接のため、および保持用半円形ワッシャによる当接のための第１および第２対向面を有している。装着リングは、たとえば天井に設けられた開口部中に保持クリップにより保持され、拡声器ドライブユニットの設計は、それがシールドハロゲン電球を有する通常の照明装置において、かかる電球の代わりに使用されることを可能にすることで、特にスペースその他の場所が限られているキッチンまたはバスルームのような部屋にある天井に、拡声器を簡単に装着したり交換したりすることができる構成とされている（たとえば、特許文献２参照。）。
【０００５】
また、このような照明装置は、たとえばつぎのように構成されている。すなわち、照明装置は、一般的なダイナミックスピーカユニットの構造に加えて、バックプレートおよびセンタポールの中心部に穿設された孔と、バックプレートの底面側に固定された基板と、基板にホルダを介して光がセンタキャップの内面に照射されるように取り付けられた発光ダイオードとを備え、孔を通して発光ダイオードが基板に配設されたコネクタまで配線されて、外部の駆動源に接続された構造であり、発光ダイオードがスピーカユニットの内側からセンタキャップおよびコーン紙を光らせることで、視覚的な演出効果を向上させることができる構成とされている（たとえば、特許文献３参照。）。
【０００６】
また、このような照明装置は、照明カバーを有する照明装置と、照明装置の設置相手先となる照明設置部との間に、照明カバーを含んで取り付けられるスピーカと、音波が放射される音波放射用空間と、音波を外部へ放射するための開口部と、スピーカに対向し音波を開口部に向けて反射する音波反射部と、照明設置部に取り付けられ照明装置およびスピーカを支持する支持部とを配置することで、コスト低減を図り室内の美観を向上させ不必要なところへの音漏れを防止することができる構成とされている（たとえば、特許文献４参照。）。
【０００７】
【特許文献１】特開平４−３３４２９５号公報
【特許文献２】特開２００５−１２８１６号公報
【特許文献３】特開２００１−９５０７４号公報
【特許文献４】特開２００４−２３５９１７号公報
【発明の開示】
【発明が解決しようとする課題】
【０００８】
しかしながら、上記特許文献１に記載の従来技術の音響機器では、電球用ソケットに取り付けて動作電流を得て音声出力をおこなうものであるため、照明に関する機能を備えず電力線通信によって音声信号を取得することができないという問題が一例として挙げられる。また、上記特許文献２に記載の従来技術の音響機器では、電球用ソケットに取り付けて照明に関する機能を犠牲にしつつ音声出力をおこなうものであるため、照明のための動作をおこなうことができないという問題が一例として挙げられる。
【０００９】
また、上記特許文献３に記載の従来技術の照明装置では、音声出力とともに発光ダイオードによって視覚的な演出をおこなうものであるため、たとえば部屋を明るくしたりする照明をおこなうことができないという問題が一例として挙げられる。また、上記特許文献４に記載の従来技術の照明装置では、電灯設備配設位置に音声出力機能および照明機能を有する照明装置を直接取り付けるものであるため、既存の電灯設備（たとえば、電球用ソケット）などには設置することができないという問題が一例として挙げられる。
【課題を解決するための手段】
【００１０】
発光手段と、音声出力手段と、発光手段のＯＮ／ＯＦＦ入力を検出する検出手段と、制御手段と、を備えた、既存の電灯設備によって電力線通信に接続される照明装置であって、
前記制御手段は、前記検出手段がＯＮであることを検出したときに以下のステップを順に実行することを特徴とする。
（１）前記発光手段を点灯させる。
（２）前記電力線通信から音声信号の入力があるか否かを判断する。
（３）前記音声信号が入力されている場合は前記音声出力手段から音声を出力する。
【発明を実施するための最良の形態】
【００１２】
以下に添付図面を参照して、この発明にかかる照明装置および照明システムの好適な実施の形態を詳細に説明する。
【００１３】
（実施の形態１）
（照明装置の機能的構成）
まず、この発明の実施の形態１にかかる照明装置の内容について説明する。図１は、この発明の実施の形態１にかかる照明装置の機能的構成の一例を示すブロック図である。図１において、照明装置１００は、発光部１０１と、音声出力部１０２と、制御部１０３とを備えて構成され、接続部１０４によって電力線を有する既存の電灯設備（以下、単に「電灯設備」とする）に接続可能な構造を備えている。
【００１４】
発光部１０１は、接続部１０４を介して接続された電力線からの電力供給によって発光する。この発光部１０１は、具体的には、たとえばＬＥＤ、フィラメント、蛍光灯および有機ＥＬなどの発光体によって構成される。なお、上記既存の電灯設備とは、たとえば建物に設けられた電球用ソケット、レセプタクル、引っ掛けシーリングローゼットや、懐中電灯（ハンディライト）の電球用ソケットなどの電灯設備をいう。
【００１５】
音声出力部１０２は、音声信号の入力を受け付けて、接続部１０４を介して接続された電力線からの電力供給によって、入力した音声信号に基づく音声を出力する。この音声出力部１０２によって入力が受け付けられる音声信号は、具体的には、たとえば電力線に重畳されたものであったり、無線通信によって送信されたものであったり、あるいは外部の記録媒体に記録されたものであったりする。音声信号が電力線に重畳されたものである場合は、照明装置１００は、電力線通信（Ｐｏｗｅｒ  Ｌｉｎｅ  Ｃｏｍｍｕｎｉｃａｔｉｏｎ：ＰＬＣ）が可能な装置として構成される。
【００１６】
制御部１０３は、発光部１０１と音声出力部１０２とのＯＮ／ＯＦＦを制御する。制御部１０３は、具体的には、これら発光部１０１と音声出力部１０２とに対する電力線からの電力供給を制御する。したがって、制御部１０３は、発光部１０１による発光や音声出力部１０２による音声出力のＯＮ／ＯＦＦを個別にあるいは統括的に制御することができる。また、この制御部１０３は、電力線を通じて送信された発光部１０１や音声出力部１０２へのＯＮ／ＯＦＦ入力や、無線通信によって送信されたＯＮ／ＯＦＦ入力などに基づいて照明装置１００の全体の動作を制御する。接続部１０４は、電灯設備と電気的かつ機械的に接続可能な口金やプラグなどによって構成される。
【００１７】
このように構成された照明装置では、接続部１０４を介して電灯設備に接続することで電力供給を得て、発光部１０１による発光や音声出力部１０２による音声出力をおこなうことができる。また、制御部１０３によって、発光部１０１による発光や音声出力部１０２による音声出力のＯＮ／ＯＦＦを制御することができる。
【００１８】
このため、この照明装置１００によれば、壁や天井などに照明装置１００を取り付けるための電灯設備の設置工事や、発光部１０１による発光のための電力線の他に音声出力部１０２による音声出力のための通信線の敷設工事などを別途おこなうことなく、既存の照明装置の電球などと交換することによって照明機能およびオーディオ機能を同時あるいは個別に利用することが可能となる。また、電力線を有する既存の電灯設備を利用することができるので、リビング、寝室、浴室などの様々な場所に照明装置１００を設置することができ、設置自由度を向上させることができる。
【００１９】
（照明装置の動作処理手順）
つぎに、この発明の実施の形態１にかかる照明装置の動作処理手順について説明する。図２は、この発明の実施の形態１にかかる照明装置の動作処理手順の一例を示すフローチャートである。なお、図２の処理は、照明装置１００が既に電灯設備に設置された場合を示している。
【００２０】
図２のフローチャートにおいて、まず、制御部１０３によって、送信されたＯＮ／ＯＦＦ入力による発光指示があったか否かを判断する（ステップＳ２０１）。発光指示があったと判断された場合（ステップＳ２０１：Ｙｅｓ）は、制御部１０３によって、発光部１０１への電力供給をおこない、すなわち発光部１０１による発光がＯＮとなり、この電力供給によって発光する（ステップＳ２０２）。
【００２１】
つぎに、制御部１０３によって、送信されたＯＮ／ＯＦＦ入力による音声出力指示があったか否かを判断する（ステップＳ２０３）。なお、上記ステップＳ２０１において、発光指示がなかったと判断された場合（ステップＳ２０１：Ｎｏ）は、このステップＳ２０３へ移行する。音声出力指示があったと判断された場合（ステップＳ２０３：Ｙｅｓ）は、制御部１０３によって、音声出力部１０２への電力供給をおこない、すなわち音声出力部１０２による音声出力がＯＮとなり、この電力供給によって音声出力をおこなう（ステップＳ２０４）。
【００２２】
上記ステップＳ２０４において、音声出力をおこなったのち、あるいは上記ステップＳ２０３において、音声出力指示がなかったと判断された場合（ステップＳ２０３：Ｎｏ）は、ステップＳ２０１の判断処理へ戻りループする。なお、発光指示や音声出力指示のＯＮ／ＯＦＦ入力は、電灯設備の電力線を通じて送信されたものでも、無線通信によって送信されたものでも、あるいは機械的なスイッチなどのＯＮ／ＯＦＦを制御部１０３が検出したものでもよい。
【００２３】
このように動作処理をおこなうことによって、接続された電力線からの電力供給を得て、ＯＮ／ＯＦＦ入力に基づく発光指示による発光部１０１での発光や音声出力指示による音声出力部１０２での音声出力をおこない、照明機能とオーディオ機能とを両立させて実現することができる。このため、新たな電灯設備の設置工事や通信線の敷設工事などを別途おこなうことなく、電力線を有する既存の電灯設備を利用して照明機能およびオーディオ機能を実現することが可能となる。
【００２４】
以上説明したように、この発明の実施の形態１にかかる照明装置によれば、既存の電灯設備を利用することで新たな工事などをおこなうことなく設置自由度を向上させつつ簡単かつ安価に照明機能とオーディオ機能とを実現することが可能となる。
【００２５】
（実施の形態２）
（照明システムの機能的構成）
つぎに、この発明の実施の形態２にかかる照明システムの内容について説明する。図３は、この発明の実施の形態２にかかる照明システムの機能的構成の一例を示すブロック図である。ここでは、照明システムにおいてＰＬＣを適用した場合について説明する。なお、以降において、特に明示しない限り既に説明した部分と重複する箇所は同一の符号を附して説明を省略する。
【００２６】
図３において、照明システムは、上述した照明装置１００と、音声供給装置３００とを備えて構成され、これら照明装置１００および音声供給装置３００は、既存の電灯設備の電力線３１０を介して接続されている。照明装置１００は、上述したように、発光部１０１と、音声出力部１０２と、制御部１０３とを備えて構成され、接続部１０４によって電力線に接続されている。一方、音声供給装置３００は、信号入力部３０１と、信号処理部３０２と、制御部３０３と、操作部３０４とを備えて構成されている。
【００２７】
信号入力部３０１は、人が発した音声や楽曲の音声などの音声信号の入力を受け付ける。信号処理部３０２は、信号入力部３０１によって入力された音声信号に対して所定の処理をおこない、たとえば電力線３１０に重畳して出力したり、無線通信によって出力したりする。所定の処理は、たとえば音声信号を増幅したりＰＬＣ変調したりすることを含む。これら信号入力部３０１および信号処理部３０２によって、送信手段を構成する。
【００２８】
制御部３０３は、上記送信手段による音声信号の送信を制御する。また、制御部３０３は、音声供給装置３００全体を制御するとともに、照明装置１００の制御部１０３と連携して照明装置１００の動作を遠隔操作可能に制御する。また、制御部３０３は、照明システムにおける照明装置１００が複数配設された場合に、それぞれの照明装置１００を個別あるいは統括して制御する。操作部３０４は、入力操作などによって指示された制御部３０３に対する操作情報の入力を受け付ける。
【００２９】
このように構成された照明システムでは、音声供給装置３００から送信された音声信号を照明装置１００によって出力することができる。また、この照明システムでは、照明装置１００と音声供給装置３００とが電力線３１０を介して制御可能な状態で接続されているため、照明装置１００の発光部１０１による発光や音声出力部１０２による音声出力を音声供給装置３００によって遠隔から制御することができる。このため、この照明システムによれば、既存の電灯設備を利用して配置した照明装置１００によって、照明機能とオーディオ機能とを両立させるとともに、音声供給装置３００によって照明装置１００を統括的に制御することができる。
【００３０】
（照明システムの動作処理手順）
つぎに、この発明の実施の形態２にかかる照明システムの動作処理手順について説明する。図４−１および図４−２は、この発明の実施の形態２にかかる照明システムの動作処理手順の一例を示すフローチャートである。なお、図４−１の処理は、照明装置１００における発光および音声出力を一括して制御する場合を示し、図４−２の処理は、照明装置１００における発光および音声出力を個別に制御する場合を示している。
【００３１】
図４−１のフローチャートにおいて、まず、音声供給装置３００の操作部３０４によって制御部３０３に入力された操作情報、すなわち照明装置１００に対する電力供給指示に基づき、照明装置１００の制御部１０３によって、制御部３０３から送信されたＯＮ／ＯＦＦ入力による照明装置１００に対する電力供給指示があったか否かを判断する（ステップＳ４０１）。
【００３２】
電力供給指示があったと判断された場合（ステップＳ４０１：Ｙｅｓ）は、照明装置１００の制御部１０３によって、発光部１０１および音声出力部１０２への電力供給をおこない、すなわち発光部１０１による発光がＯＮ（点灯）となるとともに音声出力部１０２による音声供給装置３００からの音声信号に基づく音声出力がＯＮとなり、この電力供給によって点灯および音声出力をおこなう（ステップＳ４０２）。
【００３３】
つぎに、音声供給装置３００の操作部３０４によって制御部３０３に入力された情報、すなわち照明装置１００に対する電力供給停止指示に基づき、照明装置１００の制御部１０３によって、制御部３０３から送信されたＯＮ／ＯＦＦ入力による照明装置１００に対する電力供給停止指示があったか否かを判断する（ステップＳ４０３）。なお、上記ステップＳ４０１において、電力供給指示がなかったと判断された場合（ステップＳ４０１：Ｎｏ）は、このステップＳ４０３へ移行する。
【００３４】
電力供給停止指示があったと判断された場合（ステップＳ４０３：Ｙｅｓ）は、照明装置１００の制御部１０３によって、発光部１０１および音声出力部１０２への電力供給を停止し、すなわち発光部１０１による発光がＯＦＦ（消灯）となるとともに音声出力部１０２による音声供給装置３００からの音声信号に基づく音声出力がＯＦＦとなり、この電力供給停止によって消灯および音声出力を停止する（ステップＳ４０４）。
【００３５】
上記ステップＳ４０２において、点灯および音声出力をおこなったのち、あるいは上記ステップＳ４０３において、電力供給停止指示がなかったと判断された場合（ステップＳ４０３：Ｎｏ）は、上記ステップＳ４０１の判断処理へ戻りループする。なお、電力供給指示や電力供給停止指示のＯＮ／ＯＦＦ入力は、電力線３１０を通じて音声供給装置３００から照明装置１００に送信されたものに限らず、音声供給装置３００から照明装置１００へ無線通信によって送信されたものでも、電力線３１０に別途設けられた機械的なスイッチなどのＯＮ／ＯＦＦを照明装置１００の制御部１０３が検出したものでもよい。その他、リモコンのような遠隔操作可能な機器からのものでもよい。
【００３６】
このように動作処理をおこなうことによって、照明装置１００が接続された電力線３１０からの電力供給と、音声供給装置３００からのＯＮ／ＯＦＦ入力とによって、発光部１０１での発光（点灯）や音声出力部１０２での音声出力などの動作を一括して制御し、照明機能とオーディオ機能をシステマチックに両立させることができる。なお、照明装置１００において出力される音声信号は、音声供給装置３００から送信されたものに限られるものでなく、別途通信や記録媒体などを介して照明装置１００に入力された音声信号であってもよい。
【００３７】
つぎに、図４−２のフローチャートにおいて、まず、音声供給装置３００の操作部３０４によって制御部３０３に入力された操作情報、すなわち照明装置１００に対する点灯指示に基づき、照明装置１００の制御部１０３によって、制御部３０３から送信されたＯＮ／ＯＦＦ入力による照明装置１００に対する点灯指示があったか否かを判断する（ステップＳ４１１）。
【００３８】
点灯指示があったと判断された場合（ステップＳ４１１：Ｙｅｓ）は、照明装置１００の制御部１０３によって、発光部１０１への電力供給をおこない、すなわち発光部１０１による発光がＯＮ（点灯）となり、この電力供給によって点灯する（ステップＳ４１２）。
【００３９】
つぎに、音声供給装置３００の操作部３０４によって制御部３０３に入力された操作情報、すなわち照明装置１００に対する消灯指示に基づき、照明装置１００の制御部１０３によって、制御部３０３から送信されたＯＮ／ＯＦＦ入力による照明装置１００に対する消灯指示があったか否かを判断する（ステップＳ４１３）。なお、上記ステップＳ４１１において、点灯指示がなかったと判断された場合（ステップＳ４１１：Ｎｏ）は、このステップＳ４１３へ移行する。
【００４０】
消灯指示があったと判断された場合（ステップＳ４１３：Ｙｅｓ）は、照明装置１００の制御部１０３によって、発光部１０１への電力供給を停止し、すなわち発光部１０１による発光がＯＦＦ（消灯）となり、この電力供給停止によって消灯する（ステップＳ４１４）。
【００４１】
そして、音声供給装置３００の操作部３０４によって制御部３０３に入力された操作情報、すなわち照明装置１００に対する音声出力指示に基づき、照明装置１００の制御部１０３によって、制御部３０３から送信されたＯＮ／ＯＦＦ入力による照明装置１００に対する音声出力指示があったか否かを判断する（ステップＳ４１５）。なお、上記ステップＳ４１３において、消灯指示がなかったと判断された場合（ステップＳ４１３：Ｎｏ）は、このステップＳ４１５へ移行する。
【００４２】
音声出力指示があったと判断された場合（ステップＳ４１５：Ｙｅｓ）は、照明装置１００の制御部１０３によって、音声出力部１０２への電力供給をおこない、すなわち音声出力部１０２による音声供給装置３００からの音声信号に基づく音声出力がＯＮとなり、この電力供給によって音声出力をおこなう（ステップＳ４１６）。
【００４３】
さらに、音声供給装置３００の操作部３０４によって制御部３０３に入力された操作情報、すなわち照明装置１００に対する音声出力停止指示に基づき、照明装置１００の制御部１０３によって、制御部３０３から送信されたＯＮ／ＯＦＦ入力による照明装置１００に対する音声出力停止指示があったか否かを判断する（ステップＳ４１７）。なお、上記ステップＳ４１５において、音声出力指示がなかったと判断された場合（ステップＳ４１５：Ｎｏ）は、このステップＳ４１７へ移行する。
【００４４】
音声出力停止指示があったと判断された場合（ステップＳ４１７：Ｙｅｓ）は、照明装置１００の制御部１０３によって、音声出力部１０２への電力供給を停止し、すなわち音声出力部１０２による音声供給装置３００からの音声信号に基づく音声出力がＯＦＦとなり、この電力供給停止によって音声出力を停止する（ステップＳ４１８）。
【００４５】
上記ステップＳ４１８において、音声出力を停止したのち、あるいは上記ステップＳ４１７において、音声出力停止指示がなかったと判断された場合（ステップＳ４１７：Ｎｏ）は、上記ステップＳ４１１の判断処理へ戻りループする。なお、点灯指示、消灯指示、音声出力指示および音声出力停止指示のＯＮ／ＯＦＦ入力は、電力線３１０を通じて音声供給装置３００から照明装置１００に送信されたものに限らず、音声供給装置３００から照明装置１００へ無線通信によって送信されたものでも、電力線３１０に別途設けられた機械的なスイッチなどのＯＮ／ＯＦＦを照明装置１００の制御部１０３が検出したものでもよい。その他、リモコンのような遠隔操作可能な機器からのものでもよい。
【００４６】
このように動作処理をおこなうことによって、照明装置１００が接続された電力線３１０からの電力供給と、音声供給装置３００からのＯＮ／ＯＦＦ入力とによって、発光部１０１での発光（点灯）や音声出力部１０２での音声出力などの動作を個別に制御し、照明機能とオーディオ機能をシステマチックに両立させることができる。なお、照明装置１００において出力される音声信号は、音声供給装置３００から送信されたものに限られるものでなく、別途通信や記録媒体などを介して照明装置１００に入力された音声信号であってもよい。この処理によれば、たとえば照明装置１００において、音声供給装置３００からの制御により発光および音声出力のいずれか一方だけをおこなったり、両方を同時におこなったりして汎用性を向上させることができる。
【００４７】
以上説明したように、この発明の実施の形態２にかかる照明システムによれば、既存の電灯設備を利用することで新たな工事などをおこなうことなく設置自由度を向上させつつ簡単かつ安価に照明機能とオーディオ機能とを選択的かつシステマチックに実現することが可能となる。
【００４８】
つぎに、この発明の実施の形態１にかかる実施例１について説明する。ここでは、この実施の形態１にかかる照明装置として、たとえば電球型の照明装置を構成した場合を例示して説明する。
【実施例１】
【００４９】
（照明装置の外観および内部構成）
まず、この発明の実施例１にかかる照明装置の外観および内部構成について説明する。図５は、この発明の実施例１にかかる照明装置の外観構成の一例を示す斜視図である。また、図６−１は、この発明の実施例１にかかる照明装置の内部構成の一例を示す説明図である。また、図６−２は、この発明の実施例１にかかる照明装置の内部構成の他の一例を示す説明図である。
【００５０】
図５に示すように、照明装置１００は、いわゆる電球と同様の外観形状を有し、既存の電灯設備における電球用ソケットに対して、機械的に螺合し電気的に接続可能な形状の口金部５０１と、この口金部５０１の基端側に設けられた基体部５０２と、この基体部５０２と一体的に設けられた球状の筐体部５０３とを備えて構成されている。なお、たとえば口金部５０１は電気的導通可能な金属部材からなり、基体部５０２は樹脂成形部材からなる。
【００５１】
また、照明装置１００は、筐体部５０３の一部に形成されたメッシュ状の音声出力口５０４と、筐体部５０３の先端側に配設された通信素子５０５と、カメラ５０６と、マイクロフォン５０７とを備えて構成されている。なお、筐体部５０３は、ガラスによって構成されていても、樹脂によって構成されていてもよい。
【００５２】
図６−１に示すように、上記基体部５０２には、たとえば照明装置１００の基板部６００が内蔵され、筐体部５０３の音声出力口５０４の内側には、音声出力をおこなう音声出力手段としての複数のスピーカ６０１が配設されている。また、筐体部５０３の内部には、発光をおこなう発光手段としての複数のランプ６０２が配設されている。このランプ６０２には、たとえばＬＥＤ、フィラメント、蛍光灯および有機ＥＬなどを用いることができる。なお、基板部６００には、上述した通信素子５０５、カメラ５０６、マイクロフォン５０７、スピーカ６０１およびランプ６０２と、口金部５０１とがそれぞれ電気的に接続されている。
【００５３】
ここで、図６−２に示すように、音声出力手段としてのスピーカ６０１の代わりに、筐体部５０３を振動させて音声を出力する振動板６０１ａを用いて照明装置１００Ａを構成することもできる。この場合、照明装置１００Ａの筐体部５０３には、音声出力口５０４を設ける必要はない。その他の各部については、照明装置１００と同様であるため、ここでは説明を省略する。その他、スピーカ６０１として、圧電型のスピーカ（図示せず）などを用いることもできる。なお、スピーカ６０１やランプ６０２は、それぞれ少なくとも一つずつ備えられていればよい。つぎに、上記照明装置１００（１００Ａを含む）の詳細な内部構成について説明する。
【００５４】
（照明装置の詳細な内部構成）
図７−１は、この発明の実施例１にかかる照明装置の詳細な内部構成の一例を示すブロック図である。また、図７−２は、この発明の実施例１にかかる照明装置の詳細な内部構成の他の一例を示すブロック図である。また、図７−３は、この発明の実施例１にかかる照明装置の詳細な内部構成のさらに他の一例を示すブロック図である。
【００５５】
図７−１に示すように、照明装置１００は、アンテナである通信素子５０５と、カメラ５０６と、マイクロフォン５０７と、基板部６００と、スピーカ６０１と、ランプ６０２とを備えて構成され、たとえば商用電源であるＡＣ１００Ｖの既存の電灯設備の電力線３１０に配設された電球用ソケットと接続点７００を介して機械的かつ電気的に接続されている。
【００５６】
この照明装置１００の基板部６００は、たとえば内部に通信Ｉ／Ｆ７０１と、通信制御回路７０２と、無線回路７０３と、信号処理回路７０４と、制御回路７０５と、電源回路７０６と、アンプ７０７と、リレーＳＷ７０８と、音声入出力Ｉ／Ｆ７０９とを備えて構成されている。
【００５７】
通信Ｉ／Ｆ７０１は、たとえば後述する音声供給装置との間で通信をおこなったり、他の照明装置１００との間で通信をおこなったり、リモコンのような機器との間で通信をおこなったりして、各種情報や信号の入出力をおこなう。この通信Ｉ／Ｆ７０１は、ここでは、直接的あるいは間接的に通信をおこなうことができる通信モジュールであるとよい。
【００５８】
通信制御回路７０２は、通信Ｉ／Ｆ７０１や無線回路７０３による通信を制御したり、電力線３１０に重畳されてくる音声信号やＯＮ／ＯＦＦ入力などの各種情報の通信、いわゆる電力線通信（ＰＬＣ）による通信を制御したりする。この通信制御回路７０２は、通信コントローラの機能を有するとよい。無線回路７０３は、電気信号を電波によって通信素子５０５を介して通信可能な状態に変換したり、通信素子５０５によって受信された電波を電気信号に変換したりするなどの無線通信に合わせた制御をおこなう。
【００５９】
ここで、無線通信とは、通信の媒体となるワイヤ線を使用せずに、電波や赤外線、超音波などを用いておこなわれる通信のことをいう。この無線通信を可能とする規格には、たとえば無線ＬＡＮ（Ｌｏｃａｌ  Ａｒｅａ  Ｎｅｔｗｏｒｋ）、ＩｒＤＡ（Ｉｎｆｒａｒｅｄ  Ｄａｔａ  Ａｓｓｏｃｉａｔｉｏｎ）、ＨｏｍｅＲＦ（Ｈｏｍｅ  Ｒａｄｉｏ  Ｆｒｅｑｕｅｎｃｙ）、ＢｌｕｅＴｏｏｔｈなどの各種の技術があるが、本実施例１においては公知の各種の無線通信技術を利用することができる。
【００６０】
信号処理回路７０４は、カメラ５０６によって撮影された画像信号や、マイクロフォン５０７から音声入出力Ｉ／Ｆ７０９およびアンプ７０７を介して入力された音声信号、あるいは通信Ｉ／Ｆ７０１、無線回路７０３、通信制御回路７０２および制御回路７０５を介して入力された音声信号を各種の通信形態に合わせて変調／復調するなどの信号処理をおこなう。信号処理回路７０４は、たとえばＤＳＰ（Ｄｉｇｉｔａｌ  Ｓｉｇｎａｌ  Ｐｒｏｃｅｓｓｏｒ）によって構成される。
【００６１】
制御回路７０５は、通信制御回路７０２、信号処理回路７０４および電源回路７０６などの、照明装置１００に備えられた各部の統括的な制御をおこなう。また、制御回路７０５は、通信制御回路７０２を介して入力されたＯＮ／ＯＦＦ入力によって、電源回路７０６を制御し、たとえばランプ６０２の点灯のＯＮ／ＯＦＦや、スピーカ６０１からの音声出力のＯＮ／ＯＦＦなどをおこなう。ここで、この制御回路７０５は、たとえば部屋の壁に埋め込まれたスイッチなどのＯＮ／ＯＦＦ動作に基づくＯＮ／ＯＦＦ入力も検出する。この制御回路７０５は、たとえばＣＰＵ（Ｃｅｎｔｒａｌ  Ｐｒｏｃｅｓｓｉｎｇ  Ｕｎｉｔ）によって構成される。
【００６２】
なお、この制御回路７０５は、記憶手段としてのメモリを備えていてもよい。メモリが備えられた場合、制御回路７０５は、このメモリに対して照明装置１００に入力された音声信号を蓄積し、蓄積した音声信号に基づいてスピーカ６０１から音声出力をおこなうように制御をおこなってもよい。また、メモリは、制御回路７０５に備えられる場合のみならず、基板部６００に備えられてもよい。
【００６３】
また、制御回路７０５は、電源回路７０６を制御して、たとえばランプ６０２に対する電力供給状態を変化させ、ランプ６０２の発光（点灯）による照度変更をおこなったり、信号処理回路７０４からの情報に基づいて、スピーカ６０１から出力される音声の強弱などと連動させてランプ６０２による発光状態を変化させたりする視覚的演出のための制御をおこなってもよい。
【００６４】
電源回路７０６は、スピーカ６０１やランプ６０２あるいは基板部６００などへの電力供給全般を制御する。アンプ７０７は、信号処理回路７０４によって処理された信号を増幅したり、音声入出力Ｉ／Ｆ７０９を介して入力された信号を増幅したりする。リレーＳＷ７０８は、制御回路７０５によって検出されたＯＮ／ＯＦＦ入力や電力線３１０の電圧変化などに基づき、ランプ６０２の点灯／消灯などをおこなう。
【００６５】
なお、制御回路７０５は、リレーＳＷ７０８を操作して、ランプ６０２の照度変更などをおこなうこともできる。音声入出力Ｉ／Ｆ７０９は、スピーカ６０１から出力される音声信号やマイクロフォン５０７から入力される音声信号の入出力をおこなう。この音声入出力Ｉ／Ｆ７０９は、具体的には、たとえばディジタル音声信号のＤ／Ａ変換をおこなうＤ／Ａコンバータと、Ｄ／Ａコンバータから出力されるアナログ音声信号を増幅する増幅器と、アナログ音声信号のＡ／Ｄ変換をおこなうＡ／Ｄコンバータとから構成することができる。
【００６６】
このように構成された照明装置１００では、無線通信やＰＬＣによって、音声信号を得るとともに、これら無線通信やＰＬＣあるいは電灯設備のスイッチのＯＮ／ＯＦＦによって、点灯指示や音声出力指示のＯＮ／ＯＦＦ入力を検出し、これらの指示に基づいて制御回路７０５が各部を制御して、たとえばランプ６０２の点灯／消灯やスピーカ６０１からの音声出力のＯＮ／ＯＦＦ、あるいはカメラ５０６での撮影やマイクロフォン５０７による音声入力（録音）をおこなうことができる。なお、カメラ５０６で撮影した画像やマイクロフォン５０７で録音した音声などの情報は、無線通信やＰＬＣによって、外部の情報端末などに送信することも可能である。
【００６７】
また、照明装置１００の基板部６００は、ＰＬＣによって音声信号を得る構造を採用しない場合は、つぎのように構成されていてもよい。すなわち、図７−２に示すように、基板部６００は、スイッチ（ＳＷ）７１１，７１２をそれぞれ備え、通信素子５０５から通信Ｉ／Ｆ７０１および通信制御回路７０２を介して入力された情報に基づき、制御回路７０５によって点灯指示や音声出力指示のＯＮ／ＯＦＦ入力が検出されるとともに、スピーカ６０１から出力する音声の音声信号を無線通信によって得る構成を備えている。
【００６８】
そして、このような構成では、制御回路７０５で検出されたＯＮ／ＯＦＦ入力などによって、制御回路７０５がこれらのスイッチ７１１，７１２を操作して、ランプ６０２の点灯／消灯をおこなったり、無線通信によって得られた音声信号に基づくスピーカ６０１からの音声出力のＯＮ／ＯＦＦをおこなったりする。その他の各部については同様の構成であるため、ここでは説明を省略する。
【００６９】
また、照明装置１００の基板部６００は、無線通信によって音声信号を得る構造を採用しない場合は、つぎのように構成されていてもよい。すなわち、図７−３に示すように、基板部６００は、通信素子５０５の代わりにカードスロット５０５ａを備え、このカードスロット５０５ａに挿入された記録媒体などに記録された音声信号を通信Ｉ／Ｆ７０１および通信制御回路７０２を介して制御回路７０５が得るとともに、スピーカ６０１から出力する構成を備えている。なお、この図７−３においては、音声入出力Ｉ／Ｆ７０９の図示は省略してあるが、備えられていてもよい。
【００７０】
そして、このような構成では、制御回路７０５で検出されたＯＮ／ＯＦＦ入力などによって、制御回路７０５がランプ６０２の点灯／消灯をおこなったり、記録媒体から得られた音声信号に基づくスピーカ６０１からの音声出力のＯＮ／ＯＦＦをおこなったりする。その他の各部については同様の構成であるため、ここでは説明を省略する。なお、カメラ５０６で撮影した画像やマイクロフォン５０７で録音した音声などの情報は、これらの構成によれば、無線通信によって外部の装置へ送信したり、カードスロット５０５ａに挿入された記録媒体に記録したりすることも可能である。
【００７１】
（照明装置の動作処理手順）
つぎに、この実施例１にかかる照明装置１００の動作処理手順について説明する。図８−１は、この発明の実施例１にかかる照明装置の動作処理手順の一例を示すフローチャートである。また、図８−２は、この発明の実施例１にかかる照明装置の動作処理手順の他の一例を示すフローチャートである。なお、図８−１の処理は、照明装置１００における点灯および音声出力を一括して制御する場合を示し、図８−２の処理は、照明装置１００における点灯および音声出力を個別に制御する場合を示している。また、ここではＰＬＣによって照明装置１００の動作を制御する場合について説明する。
【００７２】
図８−１のフローチャートにおいて、まず、基板部６００の制御回路７０５によって、通信制御回路７０２を介して電力線３１０から入力された点灯指示のＯＮ／ＯＦＦ入力に基づき、ランプ６０２のスイッチがＯＮであるか否かを判断する（ステップＳ８０１）。ランプ６０２のスイッチがＯＮでないと判断された場合は待機状態となり（ステップＳ８０１：Ｎｏ）、ランプ６０２のスイッチがＯＮであると判断された場合（ステップＳ８０１：Ｙｅｓ）は、制御回路７０５によって、リレーＳＷ７０８あるいはスイッチ７１１を操作してランプ６０２を点灯する（ステップＳ８０２）。
【００７３】
そして、制御回路７０５によって、通信制御回路７０２を介して音声信号の入力があるか否かを判断する（ステップＳ８０３）。音声信号の入力があると判断された場合（ステップＳ８０３：Ｙｅｓ）は、制御回路７０５によって、たとえば電源回路７０６を制御あるいはスイッチ７１２を操作して信号処理回路７０４に電力供給をおこなうとともに、制御回路７０５に入力された音声信号を信号処理回路７０４に対して出力し、信号処理回路７０４によって、音声信号をデコードし（ステップＳ８０４）、アンプ７０７によって、デコードした音声信号を増幅する（ステップＳ８０５）。
【００７４】
音声信号を増幅したのち、制御回路７０５によって、音声入出力Ｉ／Ｆ７０９を介して音声信号をスピーカ６０１に出力し、スピーカ６０１によって音声信号に基づく音声を出力する（ステップＳ８０６）。そして、制御回路７０５によって、通信制御回路７０２を介して電力線３１０から入力された消灯指示のＯＮ／ＯＦＦ入力に基づき、ランプ６０２のスイッチがＯＦＦであるか否かを判断する（ステップＳ８０７）。なお、上記ステップＳ８０３において、音声信号の入力がないと判断された場合（ステップＳ８０３：Ｎｏ）は、このステップＳ８０７の処理に移行する。
【００７５】
ランプ６０２のスイッチがＯＦＦでないと判断された場合（ステップＳ８０７：Ｎｏ）は、上記ステップＳ８０２に移行して、ステップＳ８０２〜ステップＳ８０７の処理を繰り返す。ランプ６０２のスイッチがＯＦＦであると判断された場合（ステップＳ８０７：Ｙｅｓ）は、制御回路７０５によって、たとえばリレーＳＷ７０８あるいはスイッチ７１１を操作してランプ６０２を消灯し（ステップＳ８０８）、上記ステップＳ８０１の判断処理へ戻り動作処理をループする。なお、このステップＳ８０２においては、音声出力がおこなわれている場合はこの音声出力も停止する。このように動作処理をおこなうことによって、照明装置１００における発光（点灯）や音声出力などの動作を照明装置１００において一括して制御することができる。
【００７６】
一方、図８−２のフローチャートにおいて、まず、基板部６００の制御回路７０５によって、通信制御回路７０２を介して電力線３１０から入力された点灯指示のＯＮ／ＯＦＦ入力に基づき、ランプ６０２のスイッチがＯＮであるか否かを判断する（ステップＳ８１１）。ランプ６０２のスイッチがＯＮであると判断された場合（ステップＳ８１１：Ｙｅｓ）は、制御回路７０５によって、たとえばリレーＳＷ７０８あるいはスイッチ７１１を操作してランプ６０２を点灯する（ステップＳ８１２）。
【００７７】
つぎに、制御回路７０５によって、通信制御回路７０２を介して電力線３１０から入力された音声出力指示のＯＮ／ＯＦＦ入力に基づき、音声出力のスイッチがＯＮであるか否かを判断する（ステップＳ８１３）。音声出力のスイッチがＯＮであると判断された場合（ステップＳ８１３：Ｙｅｓ）は、制御回路７０５によって、たとえば電源回路７０６を制御あるいはスイッチ７１２を操作して信号処理回路７０４に電力供給をおこなうとともに、制御回路７０５に入力された音声信号を信号処理回路７０４に対して出力し、信号処理回路７０４によって、各種の音声信号処理をおこなう（ステップＳ８１４）。
【００７８】
そして、信号処理回路７０４からアンプ７０７および音声入出力Ｉ／Ｆ７０９を介して音声信号をスピーカ６０１に出力し、スピーカ６０１によって音声信号に基づく音声を出力する（ステップＳ８１５）。つぎに、制御回路７０５によって、通信制御回路７０２を介して電力線３１０から入力された消灯指示のＯＮ／ＯＦＦ入力に基づき、ランプ６０２のスイッチがＯＦＦであるか否かを判断する（ステップＳ８１６）。なお、上記ステップＳ８１３において、音声出力のスイッチがＯＮでないと判断された場合（ステップＳ８１３：Ｎｏ）は、このステップＳ８１６の処理に移行する。
【００７９】
ランプ６０２のスイッチがＯＦＦでないと判断された場合（ステップＳ８１６：Ｎｏ）は、上記ステップＳ８１２に移行して、ステップＳ８１２〜ステップＳ８１６の処理を繰り返す。ランプ６０２のスイッチがＯＦＦであると判断された場合（ステップＳ８１６：Ｙｅｓ）は、制御回路７０５によって、リレーＳＷ７０８あるいはスイッチ７１１を操作してランプ６０２を消灯する（ステップＳ８１７）。
【００８０】
そして、制御回路７０５によって、通信制御回路７０２を介して電力線３１０から入力された音声出力停止指示のＯＮ／ＯＦＦ入力に基づき、音声出力のスイッチがＯＦＦであるか否かを判断する（ステップＳ８１８）。なお、上記ステップＳ８１１において、ランプ６０２のスイッチがＯＮでないと判断された場合（ステップＳ８１１：Ｎｏ）は、このステップＳ８１８の処理に移行する。
【００８１】
音声出力のスイッチがＯＦＦでないと判断された場合（ステップＳ８１８：Ｎｏ）は、上記ステップＳ８１４に移行して、ステップＳ８１４〜ステップＳ８１８の処理を繰り返す。音声出力のスイッチがＯＦＦであると判断された場合（ステップＳ８１８：Ｙｅｓ）は、制御回路７０５によって、たとえば電源回路７０６を制御あるいはスイッチ７１２を操作して信号処理回路７０４への電力供給を停止するとともに、スピーカ６０１からの音声出力を停止し（ステップＳ８１９）、上記ステップＳ８１１の判断処理へ戻り動作処理をループする。このように動作処理をおこなうことによって、照明装置における発光（点灯）や音声出力などの動作を個別に制御することができる。
【００８２】
なお、上述した照明装置１００を接続する既存の電灯設備としては、建物の部屋などに設置されたものに限らず、種々の電灯設備に適用することができる。図９は、この発明の実施例１にかかる照明装置の他の適用例を示す説明図である。図９に示すように、照明装置１００は、懐中電灯９００に備えられている。
【００８３】
懐中電灯９００は、照明装置１００を取り付ける鍔部９０１と、この鍔部９０１と一体的に設けられた円筒状の本体部９０２と、この本体部９０２の基端側に設けられ、電池（図示せず）などの電源を内部に収容する電源カバー９０３とを備えて構成され、本体部９０２に設けられた電源スイッチ９０４によって照明装置１００の発光（点灯）のＯＮ／ＯＦＦあるいは音声出力のＯＮ／ＯＦＦをおこなう構造からなる。
【００８４】
なお、照明装置１００をこのような懐中電灯９００などに適用した場合は、音声出力のための音声信号を無線通信などによって得るようにしてもよいし、たとえば本体部９０２に設けられた記録媒体挿入口９０５へ音声信号が記録された記録媒体（図示せず）を挿入することによって、その記録媒体から得るようにしてもよい。その他、照明装置１００にあらかじめ設けられたメモリなどに音声信号を蓄積しておき、その音声信号に基づく音声を出力するようにしてもよい。
【００８５】
このように、この発明の実施例１にかかる照明装置によれば、既存の電灯設備に接続することで電力供給を得て、発光（点灯）や音声出力をおこなうことができるとともに、この発光（点灯）や音声出力を統括的にあるいは個別に制御することができる。また、照明装置を取り付けるための工事などが不要であるにもかかわらず、様々な場所に設置することが可能となり、安価かつ簡単に設置自由度を向上させて照明機能およびオーディオ機能を利用することが可能となる。
【００８６】
つぎに、この発明の実施の形態２にかかる実施例２について説明する。ここでは、この実施の形態２にかかる照明システムとして、たとえば電球型の照明装置と音声供給装置とを、既存の電灯設備である電力線を介して接続し、システムを構成した場合を例示して説明する。
【実施例２】
【００８７】
（照明システムの概略構成）
まず、この発明の実施例２にかかる照明システムの概略構成について説明する。図１０は、この発明の実施例２にかかる照明システムの概略構成の一例を示す説明図である。なお、以降において、実施例１で既に説明した部分と重複する箇所は同一の符号を附して説明を省略する。
【００８８】
図１０に示すように、照明システムは、電灯設備に設けられた電球用ソケットなどの接続点１００１に接続された照明装置１００と、電力線３１０にコンセントなどの接続点１０１０を介して接続された音声供給装置１０００とを備えて構成され、たとえばＰＬＣによって情報の通信をおこなうことができるシステムである。なお、図１０においては照明装置１００を一つのみ図示したが、この照明装置１００は複数備えられていてもよい。この場合、照明システムは、電力線３１０を媒体とする構内通信網を構成することもできる。つぎに、この照明システムの詳細な構成について説明する。
【００８９】
（照明システムの詳細な構成）
図１１−１は、この発明の実施例２にかかる照明システムの詳細な構成の一例を示すブロック図である。また、図１１−２は、この発明の実施例２にかかる照明システムの詳細な構成の他の一例を示すブロック図である。
【００９０】
図１１−１に示すように、照明システムは、照明装置１００と、音声供給装置１０００とを電力線３１０に接続点１００１，１０１０を介してそれぞれ接続した構造からなる。また、電力線３１０には、接続点１１０１を介して接続された埋込スイッチ１１０２が備えられている。この埋込スイッチ１１０２は、一般的な部屋などに設けられるもので、照明装置１００のランプ６０２の点灯／消灯を手動によりおこなうためのスイッチである。
【００９１】
照明装置１００は、通信素子５０５と、カメラ５０６と、マイクロフォン５０７と、スピーカ６０１と、ランプ６０２とを備えて構成されている。また、照明装置１００は、通信制御回路７０２と、無線回路７０３と、信号処理回路７０４と、制御回路７０５と、電源回路７０６と、アンプ７０７と、リレーＳＷ７０８と、音声入出力Ｉ／Ｆ７０９とを備えて構成されている。これら各部の構成については、上記実施例１で説明したものと同様であるため、ここでは説明を省略する。
【００９２】
なお、照明装置１００の制御回路７０５は、埋込スイッチ１１０２のＯＮ／ＯＦＦ入力によって、ランプ６０２の点灯／消灯を制御するのみならず、スピーカ６０１からの音声出力のＯＮ／ＯＦＦも制御するようにしてもよい。すなわち、制御回路７０５は、埋込スイッチ（埋込ＳＷ）１１０２のＯＮ／ＯＦＦに連動してランプ６０２およびスピーカ６０１を連動させてＯＮ／ＯＦＦさせるようにしてもよいし、ランプ６０２およびスピーカ６０１をそれぞれ個別にＯＮ／ＯＦＦさせるようにしてもよい。
【００９３】
音声供給装置１０００は、音声入出力Ｉ／Ｆ１１０３と、信号処理回路１１０４と、制御回路１１０５と、操作部１１０６と、表示部１１０７とを備えて構成されている。音声入出力Ｉ／Ｆ１１０３は、音声供給装置１０００に入力される音声信号や音声供給装置１０００から出力される音声信号の入出力をおこなう。音声信号は、たとえば、音声供給装置１０００の内部に設けられたハードディスクや各種メモリなどの図示せぬ記憶手段、電力線３１０に接続されているホームサーバやジュークボックスなどの外部記憶手段、または、外部ネットワークに存在するミュージックサーバなどから供給されるようにしてもよい。
【００９４】
この音声入出力Ｉ／Ｆ１１０３によって音声供給装置１０００に入力される音声信号は、たとえば照明装置１００によって音声出力すべき楽曲などの音声信号である。また、音声供給装置１０００から出力される音声信号は、たとえば照明装置１００のマイクロフォン５０７によって入力された音声に基づく音声信号である。
【００９５】
この音声入出力Ｉ／Ｆ１１０３は、具体的には、たとえばディジタル音声信号のＤ／Ａ変換をおこなうＤ／Ａコンバータと、Ｄ／Ａコンバータから出力されるアナログ音声信号を増幅する増幅器と、アナログ音声信号のＡ／Ｄ変換をおこなうＡ／Ｄコンバータとから構成することができる。
【００９６】
信号処理回路１１０４は、音声入出力Ｉ／Ｆ１１０３を介して入力された音声信号を照明装置１００に送信するために変調したり、照明装置１００から送信されてきたカメラ５０６によって撮影された画像信号を後述する表示部１１０７に画像として表示するために処理したり、照明装置１００のマイクロフォン５０７から音声入出力Ｉ／Ｆ７０９およびアンプ７０７を介して信号処理回路７０４に入力され処理された音声信号を復調したりする。
【００９７】
なお、信号処理回路１１０４は、照明装置１００に対して音声信号の送信をＰＬＣによっておこなう場合は、電力線３１０に音声信号を重畳するためのＰＬＣ変調や、電力線３１０に重畳されて音声供給装置１０００に入力された音声信号を取り出すためのＰＬＣ復調をおこなう。この信号処理回路１１０４は、たとえばＤＳＰ（Ｄｉｇｉｔａｌ  Ｓｉｇｎａｌ  Ｐｒｏｃｅｓｓｏｒ）によって構成される。
【００９８】
また、これら音声入出力Ｉ／Ｆ１１０３および信号処理回路１１０４によって、照明装置１００へ音声信号を送信する送信手段を構成する。制御回路１１０５は、音声入出力Ｉ／Ｆ１１０３、信号処理回路１１０４および表示部１１０７などの音声供給装置１０００に備えられた各部の統括的な制御をおこなうとともに、信号処理回路１１０４を制御して、照明装置１００への音声信号の送信を制御する。
【００９９】
また、この制御回路１１０５は、照明装置１００の制御回路７０５と連携して、照明装置１００の動作を音声供給装置１０００によって遠隔操作可能な状態に制御する。この場合、制御回路１１０５は、照明装置１００に対してランプ６０２のＯＮ／ＯＦＦ出力やスピーカ６０１による音声出力のＯＮ／ＯＦＦ出力を送信する。なお、制御回路１１０５は、たとえばＣＰＵ（Ｃｅｎｔｒａｌ  Ｐｒｏｃｅｓｓｉｎｇ  Ｕｎｉｔ）によって構成される。なお、図１１−１に示した音声供給装置１０００の内部構成は、図示した実施例に限らず上述した各種機能を実現すべく様々な構成を取れることは言うまでもない。
【０１００】
操作部１１０６は、文字、数値、各種指示など、ユーザによって入力操作された情報を音声供給装置１０００の制御回路１１０５に対して出力する。この操作部１１０６の構成としては、たとえば物理的な押下げ／非押下げを検出する押しボタン式スイッチ、タッチパネル、キーボード、ジョイスティックなどの公知の各種形態を採用することができる。また、操作部１１０６は、たとえば外部からの音声を入力するマイクロフォンなどによって、音声により入力操作をおこなう形態であってもよい。
【０１０１】
この操作部１１０６は、音声供給装置１０００に対して一体的に設けられていてもよいし、リモコンのように音声供給装置１０００から離間した位置から操作可能な形態であってもよい。また、操作部１１０６は、上述した各種形態のうちいずれか一つの形態で構成されていても、複数の形態で構成されていてもよい。
【０１０２】
表示部１１０７は、たとえばＣＲＴ（Ｃａｔｈｏｄｅ  Ｒａｙ  Ｔｕｂｅ）、ＴＦＴ（Ｔｈｉｎ  Ｆｉｌｍ  Ｔｒａｎｓｉｓｔｏｒ）液晶ディスプレイ、有機ＥＬ（Ｅｌｅｃｔｒｏｌｕｍｉｎｅｓｃｅｎｃｅ）ディスプレイ、プラズマディスプレイなどによって構成される。表示部１１０７は、具体的には、たとえば図示しない映像Ｉ／Ｆや映像Ｉ／Ｆに接続された映像表示用のディスプレイ装置などによって構成することができる。
【０１０３】
ここで、映像Ｉ／Ｆは、具体的には、たとえばディスプレイ装置全体の制御をおこなうグラフィックコントローラと、即時表示可能な画像データを一時的に記憶するＶＲＡＭ（Ｖｉｄｅｏ  ＲＡＭ）などのバッファメモリと、グラフィックコントローラから出力される画像データに基づいて、ディスプレイ装置を表示制御する制御ＩＣやＧＰＵ（Ｇｒａｐｈｉｃｓ  Ｐｒｏｃｅｓｓｉｎｇ  Ｕｎｉｔ）などによって構成される。
【０１０４】
この表示部１１０７には、たとえばアイコン、カーソル、メニュー、ウィンドウあるいは文字や画像などの各種情報が表示される。また、表示部１１０７には、照明装置１００のカメラ５０６によって撮影された照明装置１００の設置場所における周囲の画像などが表示される。
【０１０５】
このように構成された照明システムでは、音声供給装置１０００から送信された音声信号を、たとえばＰＬＣによって照明装置１００において入力し、この音声信号に基づく音声を照明装置１００によって出力することができるとともに、照明装置１００のランプ６０２の点灯／消灯やスピーカ６０１からの音声出力のＯＮ／ＯＦＦをＰＬＣによって音声供給装置１０００側で制御したりすることができる。
【０１０６】
また、照明システムは、ＰＬＣによって音声供給装置１０００から照明装置１００に音声信号を送信する構造を採用しない場合は、つぎのように構成されていてもよい。すなわち、図１１−２に示すように、照明装置１００は、カードスロット５０５ａ、スイッチ７１１，７１２を備え、たとえばカードスロット５０５ａに挿入された記録媒体に記録された音声信号や、通信素子５０５から通信Ｉ／Ｆ７０１および通信制御回路７０２を介して入力された音声信号などに基づく音声を出力する。
【０１０７】
この場合においても、照明装置１００における音声供給装置１０００からのＯＮ／ＯＦＦ入力によって、たとえば音声供給装置１０００側から照明装置１００におけるランプ６０２の発光（点灯）のＯＮ／ＯＦＦや、音声出力のＯＮ／ＯＦＦを制御することが可能である。
【０１０８】
なお、たとえば照明装置１００が一つの部屋に複数配設され、音声供給装置１０００によって各照明装置１００を個別に制御することにより、５．１チャンネルや７．１チャンネルなどのマルチ音場を形成するように音声を再生したり、一つの照明装置１００に複数のスピーカ６０１を設けて音声をステレオ再生したりすることも可能である。
【０１０９】
（照明システムの動作処理手順）
つぎに、この実施例２にかかる照明システムの動作処理手順について説明する。図１２−１は、この発明の実施例２にかかる照明システムの動作処理手順の一例を示すフローチャートである。また、図１２−２は、この発明の実施例２にかかる照明システムの動作処理手順の他の一例を示すフローチャートである。なお、図１２−１の処理は、照明システムにおける照明装置の点灯および音声出力を一括して制御する場合を示し、図１２−２の処理は、照明システムにおける照明装置の点灯および音声出力を個別に制御する場合を示している。ここでは、ＰＬＣによって音声供給装置１０００が照明装置１００へ音声信号を送信する場合について説明する。
【０１１０】
図１２−１のフローチャートにおいて、まず、音声供給装置１０００の制御回路１１０５の制御によって、音声入出力Ｉ／Ｆ１１０３を介して音声供給装置１０００において音声信号を入力し（ステップＳ１２０１）、信号処理回路１１０４によって、音声信号をエンコードし、電力線３１０に出力する（ステップＳ１２０２）。
【０１１１】
つぎに、照明装置１００の制御回路７０５によって、たとえば埋込スイッチ１１０２のＯＮ／ＯＦＦを検出し、照明装置１００のスイッチがＯＮであるか否かを判断する（ステップＳ１２０３）。照明装置１００のスイッチがＯＮでないと判断された場合は待機状態となり（ステップＳ１２０３：Ｎｏ）、照明装置１００のスイッチがＯＮであると判断された場合（ステップＳ１２０３：Ｙｅｓ）は、照明装置１００の制御回路７０５によって、リレーＳＷ７０８（またはスイッチ７１１）を操作してランプを点灯する（ステップＳ１２０４）。
【０１１２】
そして、照明装置１００の制御回路７０５によって、通信制御回路７０２を介して音声供給装置１０００からの音声信号の入力があるか否かを判断する（ステップＳ１２０５）。音声信号の入力があると判断された場合（ステップＳ１２０５：Ｙｅｓ）は、照明装置１００の制御回路７０５によって、電源回路７０６（またはスイッチ７１２）により電力供給をおこなうとともに信号処理回路７０４およびアンプ７０７を制御して、音声信号をデコードして増幅し（ステップＳ１２０６）、音声入出力Ｉ／Ｆ７０９を介して音声信号をスピーカ６０１に出力して、スピーカ６０１によって音声信号に基づく音声を出力する（ステップＳ１２０７）。
【０１１３】
つぎに、照明装置１００の制御回路７０５によって、たとえば埋込スイッチ１１０２のＯＮ／ＯＦＦを検出し、照明装置１００のスイッチがＯＦＦであるか否かを判断する（ステップＳ１２０８）。なお、上記ステップＳ１２０５において、音声信号の入力がないと判断された場合（ステップＳ１２０５：Ｎｏ）は、このステップＳ１２０８の処理に移行する。
【０１１４】
照明装置１００のスイッチがＯＦＦでないと判断された場合（ステップＳ１２０８：Ｎｏ）は、上記ステップＳ１２０４に移行して、ステップＳ１２０４〜ステップＳ１２０８の処理を繰り返す。照明装置１００のスイッチがＯＦＦであると判断された場合（ステップＳ１２０８：Ｙｅｓ）は、照明装置１００の制御回路７０５によって、リレーＳＷ７０８を操作してランプ６０２を消灯し、音声出力を停止して（ステップＳ１２０９）、上記ステップＳ１２０３の判断処理へ戻り動作処理をループする。なお、このステップＳ１２０９においては、音声出力がおこなわれている場合はこの音声出力も停止する。
【０１１５】
一方、図１２−２のフローチャートにおいて、まず、音声供給装置１０００の制御回路１１０５の制御によって、音声入出力Ｉ／Ｆ１１０３を介して音声供給装置１０００において音声信号を入力し（ステップＳ１２１１）、信号処理回路１１０４によって、音声信号をエンコードし、電力線３１０に出力する（ステップＳ１２１２）。
【０１１６】
つぎに、照明装置１００の制御回路７０５によって、たとえば音声供給装置１０００の操作部１１０６から入力された操作情報に基づき制御回路１１０５によって出力された照明装置１００に対するＯＮ／ＯＦＦ入力に基づいて、照明装置１００のランプ６０２のスイッチがＯＮであるか否かを判断する（ステップＳ１２１３）。
【０１１７】
照明装置１００のランプ６０２のスイッチがＯＮであると判断された場合（ステップＳ１２１３：Ｙｅｓ）は、照明装置１００の制御回路７０５によって、リレーＳＷ７０８（またはスイッチ７１１）を操作してランプ６０２を点灯する（ステップＳ１２１４）。つぎに、照明装置１００の制御回路７０５によって、たとえば音声供給装置１０００の操作部１１０６から入力された操作情報に基づき制御回路１１０５によって出力された照明装置１００に対するＯＮ／ＯＦＦ入力に基づいて、照明装置１００の音声出力のスイッチがＯＮであるか否かを判断する（ステップＳ１２１５）。
【０１１８】
照明装置１００の音声出力のスイッチがＯＮであると判断された場合（ステップＳ１２１５：Ｙｅｓ）は、照明装置１００の制御回路７０５によって、電源回路７０６（またはスイッチ７１２）により信号処理回路７０４に電力供給をおこなうとともに信号処理回路７０４において各種の音声信号処理をおこなう（ステップＳ１２１６）。そして、照明装置１００の信号処理回路７０４からアンプ７０７および音声入出力Ｉ／Ｆ７０９を介して音声信号をスピーカ６０１に出力し、スピーカ６０１によって音声信号に基づく音声を出力する（ステップＳ１２１７）。
【０１１９】
つぎに、照明装置１００の制御回路７０５によって、たとえば音声供給装置１０００の操作部１１０６から入力された操作情報に基づき制御回路１１０５によって出力された照明装置１００に対するＯＮ／ＯＦＦ入力に基づいて、照明装置１００のランプ６０２のスイッチがＯＦＦであるか否かを判断する（ステップＳ１２１８）。なお、上記ステップＳ１２１５において、照明装置１００の音声出力のスイッチがＯＮでないと判断された場合（ステップＳ１２１５：Ｎｏ）は、このステップＳ１２１８の処理に移行する。
【０１２０】
照明装置１００のランプ６０２のスイッチがＯＦＦでないと判断された場合（ステップＳ１２１８：Ｎｏ）は、上記ステップＳ１２１４に移行して、ステップＳ１２１４〜ステップＳ１２１８の処理を繰り返す。照明装置１００のランプ６０２のスイッチがＯＦＦであると判断された場合（ステップＳ１２１８：Ｙｅｓ）は、照明装置１００の制御回路７０５によって、リレーＳＷ７０８（またはスイッチ７１１）を操作してランプ６０２を消灯する（ステップＳ１２１９）。
【０１２１】
そして、照明装置１００の制御回路７０５によって、たとえば音声供給装置１０００の操作部１１０６から入力された操作情報に基づき制御回路１１０５によって出力された照明装置１００に対するＯＮ／ＯＦＦ入力に基づいて、照明装置１００の音声出力のスイッチがＯＦＦであるか否かを判断する（ステップＳ１２２０）。なお、上記ステップＳ１２１３において、照明装置１００のランプ６０２のスイッチがＯＮでないと判断された場合（ステップＳ１２１３：Ｎｏ）は、このステップＳ１２２０の処理に移行する。
【０１２２】
照明装置１００の音声出力のスイッチがＯＦＦでないと判断された場合（ステップＳ１２２０：Ｎｏ）は、上記ステップＳ１２１６に移行して、ステップＳ１２１６〜ステップＳ１２２０の処理を繰り返す。照明装置１００の音声出力のスイッチがＯＦＦであると判断された場合（ステップＳ１２２０：Ｙｅｓ）は、照明装置１００の制御回路７０５によって、電源回路７０６（またはスイッチ７１２）による信号処理回路７０４への電力供給を停止するとともにスピーカ６０１からの音声出力を停止し（ステップＳ１２２１）、上記ステップＳ１２１３の判断処理へ戻り動作処理をループする。
【０１２３】
なお、上述した照明システムにおいては、照明装置１００によって音声出力する音声信号を音声供給装置１０００から照明装置１００に対して、ＰＬＣや無線通信などにより送信する構成としたが、音声信号はカードスロット５０５ａを介して外部の記録媒体などに記録されたものを用いてもよい。また、上述した照明システムでは、音声供給装置１０００によって音声信号を送信するとともに照明装置１００の動作を制御することができる構成としたが、照明装置１００は無線通信などによって他の電子機器により制御することも可能である。
【０１２４】
ここで、上述した照明システムにおいて構成可能な他の利用方式について簡単に説明する。図１３は、この発明の実施例２にかかる照明システムの他の動作処理手順の一例を示すフローチャートである。また、図１４は、この発明の実施例２にかかる照明システムの他の動作処理手順の他の一例を示すフローチャートである。なお、図１３の処理は、複数の照明装置１００を有する照明システムをインターホンとして用いた場合を示し、図１４の処理は、照明システムをＰＬＣを用いた監視システムとして利用した場合を示している。
【０１２５】
図１３のフローチャートにおいて、まず、たとえば建物の１階と２階とに設置された複数の照明装置１００のうちの１つにおいて、リモコンやスイッチを介して入力された操作情報に基づき、制御回路７０５によって、インターホンモードがＯＮであるか否かを判断する（ステップＳ１３０１）。
【０１２６】
インターホンモードがＯＮであると判断された場合（ステップＳ１３０１：Ｙｅｓ）は、電源ＯＮを指示する制御信号が、たとえば照明システムに備えられたすべての照明装置１００に対して電力線３１０を介して送信され、各照明装置１００におけるそれぞれの制御回路７０５によって、電源回路７０６などを制御して照明装置１００に電力供給がおこなわれる（ステップＳ１３０２）。
【０１２７】
そして、通話元の照明装置１００において、たとえば通話場所を指定しつつマイクロフォン５０７に向かって音声を発することにより、通話場所を指定して音声入力をおこなう（ステップＳ１３０３）。入力された音声は、信号処理回路７０４によって信号処理され制御回路７０５によって通話先の照明装置１００に送信される。
【０１２８】
通話先の照明装置１００では、通話元から送信された音声信号に基づいて、信号処理回路７０４によって信号処理をおこない、スピーカ６０１によって音声出力することで、指定された通話場所で音声出力をおこなう（ステップＳ１３０４）。そして、これらの照明装置１００において、リモコンやスイッチを介して入力された操作情報に基づき、制御回路７０５によって、インターホンモードがＯＦＦであるか否かを判断する（ステップＳ１３０５）。
【０１２９】
インターホンモードがＯＦＦでないと判断された場合（ステップＳ１３０５：Ｎｏ）は、上記ステップＳ１３０３に移行して、ステップＳ１３０３〜ステップＳ１３０５の処理を繰り返す。インターホンモードがＯＦＦであると判断された場合（ステップＳ１３０５：Ｙｅｓ）は、すべての照明装置１００の制御回路７０５によって、電源回路７０６などを制御して、照明装置１００への電力供給を停止して処理を終了する。
【０１３０】
一方、図１４のフローチャートにおいて、たとえば携帯電話機などから宅内に設置された照明装置１００に対し、カメラ５０６を起動するためのＯＮ／ＯＦＦに関する制御信号を送信し、照明装置１００の制御回路７０５によって、この制御信号によりカメラモードがＯＮであるか否かを判断する（ステップＳ１４０１）。
【０１３１】
カメラモードがＯＮであると判断された場合（ステップＳ１４０１：Ｙｅｓ）は、制御回路７０５によって、電源回路７０６などを制御して照明装置１００に電力供給がおこなわれ（ステップＳ１４０２）、カメラ５０６によって照明装置１００の設置場所の周囲の画像を撮像し（ステップＳ１４０３）、信号処理回路７０４によって撮像した画像を携帯電話機でも閲覧可能な画像形式などに変換する画像信号処理がおこなわれる（ステップＳ１４０４）。
【０１３２】
そして、制御回路７０５によって、通信制御回路７０２を制御して、通信Ｉ／Ｆ７０１を介して信号処理した画像を電力線３１０や無線通信により出力するとともに（ステップＳ１４０５）、携帯電話機などから送信された制御信号に基づき、カメラモードがＯＦＦであるか否かを判断する（ステップＳ１４０６）。
【０１３３】
カメラモードがＯＦＦでないと判断された場合（ステップＳ１４０６：Ｎｏ）は、上記ステップＳ１４０３に移行して、ステップＳ１４０３〜ステップＳ１４０６の処理を繰り返す。カメラモードがＯＦＦであると判断された場合（ステップＳ１４０６：Ｙｅｓ）は、照明装置１００の制御回路７０５によって、電源回路７０６などを制御して、電力供給を停止して処理を終了する。
【０１３４】
このように、この発明の実施例２にかかる照明システムによれば、既存の電灯設備に照明装置を接続することで電力供給を得て、発光（点灯）や音声出力をおこなうことができるとともに、音声供給装置からの音声信号に基づいて音声出力をおこなうことができる。また、音声供給装置などにより発光（点灯）や音声出力を統括的にあるいは個別に制御することができる。
【０１３５】
また、照明装置や音声供給装置を設置するための工事などが不要であり、様々な場所に照明システムを設けることが可能となり、安価かつ簡単に設置自由度を向上させて照明機能およびオーディオ機能を利用することが可能な照明システムを実現することが可能となる。
【０１３６】
以上説明したように、この発明にかかる照明装置および照明システムによれば、既存の電灯設備を利用することで新たな工事などをおこなうことなく設置自由度を向上させることができる。また、この発明にかかる照明装置および照明システムによれば、簡単かつ安価に照明機能とオーディオ機能とを同時に実現させたり選択的に利用したりすることが可能となる。
【０１３７】
なお、実施例１および実施例２では、照明装置や照明システムによって、点灯／消灯あるいは音声出力のＯＮ／ＯＦＦをおこなうことを主として説明したが、これらの動作の他にも、ＰＬＣを用いて複数の照明装置によって宅内通信網を構築し、データ通信をおこなうようにしたり、人体検知センサや事象変化センサなどを各照明装置１００に搭載してより高度な監視システムを構築したりすることも可能である。このようにすれば、照明装置や照明システムの適用範囲をさらに広げることが可能となる。
【０１３８】
また、実施例１および実施例２では、照明装置による音声出力のための音声信号をＰＬＣによって入力したり無線通信や記録媒体などによって入力したりすることを主として説明したが、たとえば照明装置にＡＭ／ＦＭチューナやＴＶチューナなどを搭載し、これらのチューナによって入力された音声を出力するようにしてもよい。このようにすれば、音声信号の送受信に関する構成をより簡素化し、低コストで音声出力が可能な照明装置および照明システムを実現することが可能となる。
【０１３９】
また、実施例１および実施例２では、既存の電灯設備に接続されこの電灯設備からの電力供給によって動作することを前提として説明したが、電灯設備としては、たとえばバッテリなどの可搬性電源を採用したり、照明装置に非接触式充電池を搭載して電灯設備からの電力を電磁誘導などによって蓄電し電力供給したりする構造を採用してもよい。
【０１４０】
さらに、実施例１の照明装置をたとえば玄関先などに設置し、メモリなどに「お帰りなさい」などの音声を出力するための音声信号をあらかじめ記憶させておき、人体検知センサなどによる検知信号に基づいて、照明装置が自動的に音声出力をおこなう構成としてもよい。
【０１４１】
また、実施例２の照明システムにおいて、たとえば音声供給装置に緊急放送受信機能を備えることにより、災害発生時などの緊急放送を照明装置によっておこなうことも可能となる。この照明システムは、既存の電灯設備を利用することができるので、建物に限らず、屋外などにおいても適用することができる。
【０１４２】
また、この発明にかかる照明装置および照明システムによれば、たとえばリモコンのような遠隔操作可能な機器によって、照明装置を操作することが可能である。たとえば、建物などの一つの部屋に複数の照明装置を配設した場合、一つ部屋に複数のスピーカ６０１が配置されたことになるので、各照明装置に割り当てたＩＤなどに基づいてリモコンによる切り替えをおこなえば、所望の位置から音声を出力することができる。
【０１４３】
また、このようなリモコンで、音声供給装置１０００を統括的に操作したり、音声供給装置１０００が複数のチャンネルの音声信号を出力することができる場合に、任意のチャンネルの選択操作をしたりすることもできる。この他、たとえば照明装置のスピーカ６０１から出力される音声の音量の調整をおこなったりすることもできる。
【０１４４】
そして、たとえば音声供給装置１０００がＤＶＤなどのメディア再生機能を有する場合は、このメディア再生機能に関する制御全般をリモコンで操作することが可能となる。この場合、まず、音声供給装置１０００の初期設定をおこない、メディア再生機能を有効にするとよい。
【０１４５】
上記初期設定としては、たとえば複数配設された照明装置の認証をおこなうことから始めるとよい。照明装置の認証手順としては、具体的には、まず、配設した複数の照明装置１００と音声供給装置１０００とで電力線３１０を介してＬＡＮを構築し、各照明装置１００から音声供給装置１０００に対してＩＤを通知する。
【０１４６】
そして、音声供給装置１０００が各照明装置１００から通知されたＩＤを受信し、これらのＩＤをメモリなどの記憶手段に記憶するとともに、音声供給装置１０００自身のＩＤを付加した受信通知を、各照明装置１００のＩＤに対して送信する。各照明装置１００では、送信された受信通知を受信して音声供給装置１０００のＩＤをメモリなどの記憶手段に記憶し、認証がおこなわれる。
【０１４７】
一旦認証がおこなわれると、その後は各照明装置１００と音声供給装置１０００との間で、互いのＩＤに基づいて通信をおこなうことが可能となる。そして、たとえばメディア再生機能としてＤＶＤの５．１チャンネルや６．１チャンネル、あるいは７．１チャンネルの音声の再生をおこなう場合、音声供給装置１０００によって各照明装置１００の機能設定をおこなうことが可能となる。
【０１４８】
すなわち、機能設定の一例としては、音声供給装置１０００によって、どの位置に配設された照明装置１００が５．１、６．１および７．１チャンネルなどの音声の再生におけるどのチャンネルの音声（センター音声、フロントＬＲ音声、リアＬＲ音声、ウーハ音声など）を出力するかを設定することが可能となる。なお、これらの設定は、リモコンによっておこなうこともできる。また、照明装置１００がカメラ付の場合は、カメラ５０６から得られた映像によって人体の耳の位置を自動的に判断し、その判断結果に基づき、周囲の複数の照明装置１００に対しどのチャンネルの音声を出力するかを自動設定するようにしてもよい。
【０１４９】
また、この発明にかかる照明装置および照明システムによれば、たとえば人感センサを各照明装置１００に搭載して、人体を感知したか否かによってランプ６０２やスピーカ６０１のＯＮ／ＯＦＦをおこなうようにしてもよい。この場合、まず、たとえば音声供給装置１０００からの制御やリモコンによる操作などによって、各照明装置１００における人感センサモードをＯＮにする。
【０１５０】
そして、各照明装置１００の制御回路７０５によって、人感センサにより人体を感知したか否かを判断し、感知していない場合はランプ６０２やスピーカ６０１をＯＦＦとするとともに、感知した場合はランプ６０２やスピーカ６０１をＯＮとして、照明を点灯させたり音声を出力したりする。
【０１５１】
このようにランプ６０２やスピーカ６０１のＯＮ／ＯＦＦを人感センサモードがＯＦＦになるまでおこなえば、各照明装置１００において人体を感知した場合に自動的に照明を点灯させたり音声を出力したりすることが可能となり、利便性を向上させることができるようになる。つまり、人が別の部屋などに移動したとしても、今までいた部屋の照明装置１００で出力していた音楽を、別の部屋の照明装置１００を介して面倒な操作をおこなわずに楽しむことが可能となる。
【図面の簡単な説明】
【０１５２】
【図１】実施の形態１にかかる照明装置の機能的構成の一例を示すブロック図である。
【図２】実施の形態１にかかる照明装置の動作処理手順の一例を示すフローチャートである。
【図３】実施の形態２にかかる照明システムの機能的構成の一例を示すブロック図である。
【図４−１】実施の形態２にかかる照明システムの動作処理手順の一例を示すフローチャートである。
【図４−２】実施の形態２にかかる照明システムの動作処理手順の一例を示すフローチャートである。
【図５】実施例１にかかる照明装置の外観構成の一例を示す斜視図である。
【図６−１】実施例１にかかる照明装置の内部構成の一例を示す説明図である。
【図６−２】実施例１にかかる照明装置の内部構成の他の一例を示す説明図である。
【図７−１】実施例１にかかる照明装置の詳細な内部構成の一例を示すブロック図である。
【図７−２】実施例１にかかる照明装置の詳細な内部構成の他の一例を示すブロック図である。
【図７−３】実施例１にかかる照明装置の詳細な内部構成のさらに他の一例を示すブロック図である。
【図８−１】実施例１にかかる照明装置の動作処理手順の一例を示すフローチャートである。
【図８−２】実施例１にかかる照明装置の動作処理手順の他の一例を示すフローチャートである。
【図９】実施例１にかかる照明装置の他の適用例を示す説明図である。
【図１０】実施例２にかかる照明システムの概略構成の一例を示す説明図である。
【図１１−１】実施例２にかかる照明システムの詳細な構成の一例を示すブロック図である。
【図１１−２】実施例２にかかる照明システムの詳細な構成の他の一例を示すブロック図である。
【図１２−１】実施例２にかかる照明システムの動作処理手順の一例を示すフローチャートである。
【図１２−２】実施例２にかかる照明システムの動作処理手順の他の一例を示すフローチャートである。
【図１３】実施例２にかかる照明システムの他の動作処理手順の一例を示すフローチャートである。
【図１４】実施例２にかかる照明システムの他の動作処理手順の他の一例を示すフローチャートである。
【符号の説明】
【０１５３】
１００，１００Ａ  照明装置
１０１  発光部
１０２  音声出力部
１０３，３０３  制御部
１０４  接続部
３００，１０００  音声供給装置
３０１  信号入力部
３０２  信号処理部
３０４  操作部
５０１  口金部
５０２  基体部
５０３  筐体部
５０４  音声出力口
５０５  通信素子
５０６  カメラ
５０７  マイクロフォン
６００  基板部
６０１  スピーカ
６０１ａ  振動板
７０１  通信Ｉ／Ｆ
７０２  通信制御回路
７０３  無線回路
７０４，１１０４  信号処理回路
７０５，１１０５  制御回路
７０９，１１０３  音声入出力Ｉ／Ｆ
【図１】
0004724504.tif 000002
【図２】
0004724504.tif 000003
【図３】
0004724504.tif 000004
【図４−１】
0004724504.tif 000005
【図４−２】
0004724504.tif 000006
【図５】
0004724504.tif 000007
【図６−１】
0004724504.tif 000008
【図６−２】
0004724504.tif 000009
【図７−１】
0004724504.tif 000010
【図７−２】
0004724504.tif 000011
【図７−３】
0004724504.tif 000012
【図８−１】
0004724504.tif 000013
【図８−２】
0004724504.tif 000014
【図９】
0004724504.tif 000015
【図１０】
0004724504.tif 000016
【図１１−１】
0004724504.tif 000017
【図１１−２】
0004724504.tif 000018
【図１２−１】
0004724504.tif 000019
【図１２−２】
0004724504.tif 000020
【図１３】
0004724504.tif 000021
【図１４】
0004724504.tif 000022